(57)【要約】【課題】部屋のレイアウトや間仕切りを行う場合に使用されるレーザー墨出し器を提供する。【解決手段】基台２に吊り下げられた揺動体７に組み込まれたレーザー光照射装置８より放射されるレーザー光を筐体１の外部に投射するように構成されたレーザー墨出し器において、前記基台２の下面２Ａに固定されているとともに表面が球面状にされ、且つ磁性体よりなる基台用支持体６と、前記揺動体７の上面７Ａに固定されているとともに表面が球面状にされ、且つ磁性体よりなる揺動体用支持体９と、前記基台用支持体６と揺動体用支持体９との間に設けられているとともに前記揺動体７が吊り下げ位置にあるとき前記両支持体に吸着した状態にある磁石１０と、前記基台２又は揺動体７に設けられているとともに前記磁石１０の離脱を防止する離脱防止部材１１とより構成されている。【選択図】    図１
2004156952.tif 000002
【特許請求の範囲】
【請求項１】
基台に吊り下げられた揺動体に組み込まれたレーザー光照射装置より放射されるレーザー光を筐体の外部に投射するように構成されたレーザー墨出し器において、前記基台の下面に固定されているとともに表面が球面状にされ、且つ磁性体よりなる基台用支持体と、前記揺動体の上面に固定されているとともに表面が球面状にされ、且つ磁性体よりなる揺動体用支持体と、前記基台用支持体と揺動体用支持体との間に設けられているとともに前記揺動体が吊り下げ位置にあるとき前記両支持体に吸着した状態にある磁石と、前記基台又は揺動体に設けられているとともに前記磁石の離脱を防止する離脱防止部材とより成り、前記基台用支持体と磁石との吸着及び前記揺動体用支持体と磁石との吸着により前記揺動体を前記基台に吊り下げるようにしたことを特徴とするレーザー墨出し器。
【請求項２】
揺動体の下方に該揺動体が基台から離脱した状態にあるとき、該揺動体の下部を支持する支持部材を設けたことを特徴とする請求項１に記載のレーザー墨出し器。
【請求項３】
支持部材を上下動可能に設け、該支持部材の上方への変位により揺動体を吊り下げ位置に移動させるようにしたことを特徴とする請求項２に記載のレーザー墨出し器。
【請求項４】
支持部材の前記揺動体を支持する面に衝撃を吸収する弾性部材を設けたことを特徴とする請求項２に記載のレーザー墨出し器。
【請求項５】
支持部材にて前記揺動体の水平方向への回転可能範囲を規制するようにしたことを特徴とする請求項２に記載のレーザー墨出し器。
【発明の詳細な説明】
【０００１】
【発明の属する技術分野】
本発明は、部屋のレイアウトや間仕切り等を行う場合に使用される墨出し器に関するものであるる
【０００２】
【従来の技術】
レーザー光線は、エネルギー密度が高く広がり幅が狭いという特性を有しているため、墨出し器と呼ばれる装置に多く使用されている。斯かるレーザー光を利用した墨出し器においては、レーザー光の投射方向を常に水平方向や垂直方向に保持する必要があるためジンバルと呼ばれる支持装置が使用されている（例えば、特許文献１参照。）。
【０００３】
【特許文献１】
特開２００１−３３２４９号公報
【０００４】
【発明が解決しようとする課題】
ジンバル機構は、墨出し器において最も多く利用されている姿勢調整機構であるが、レーザー光照射装置がが組み込まれている吊り下げ体の姿勢調整動作をスムースに行うために軸を支持する手段としてボールベアリングが使用されている。ボールベアリングは、回転時の摩擦抵抗は小さいが、動き出すときの初動抵抗による影響によって吊り下げ体の傾きを調整する姿勢調整機構の動きが追従しなかったり遅れたりすることがあった。斯かる点を改良するために、吊り下げ体の重量を重くしたり、支持するボールベアリングの径を小さくすることが行われている。
【０００５】
しかし、墨出し器は、建築現場等での転倒や落下により大きな衝撃を受ける危険性があるので、吊り下げ体の重量を重くすると落下時に受ける衝撃力が大きくなり、またボールベアリングの径を小さくすると衝撃に対して弱くなるという問題がある。
【０００６】
本発明は、斯かる問題を解決することが出来る墨出し器を提供しようとするものである。
【０００７】
【課題を解決するための手段】
本発明は、基台に吊り下げられた揺動体に組み込まれたレーザー光照射装置より放射されるレーザー光を筐体の外部に投射するように構成されたレーザー墨出し器において、前記基台の下面に固定されているとともに表面が球面状にされ、且つ磁性体よりなる基台用支持体と、前記揺動体の上面に固定されているとともに表面が球面状にされ、且つ磁性体よりなる揺動体用支持体と、前記基台用支持体と揺動体用支持体との間に設けられているとともに前記揺動体が吊り下げ位置にあるとき前記両支持体に吸着した状態にある磁石と、前記基台又は揺動体に設けられているとともに前記磁石の離脱を防止する離脱防止部材とより構成されている。
【０００８】
【実施例】
図１は本発明のレーザー墨出し器の一実施例を示す一部断面図である。同図において、１はレーザー墨出し器を構成する筐体であり、その上方には非磁性体の基台２が固定されている。３及び４は前記筐体１の下方に設けられている基台５に螺合されている姿勢調整用の脚部であり、図示していないがもう１本設けられている。斯かる脚部３，４等を回すことによって筐体１の傾きを調整することが出来るように構成されている。
【０００９】
６は前記基台２の下面２Ａに形成されている半球状の凹部２Ｂに接着剤等によって接着固定されている基台用支持体であり、表面が球面状にされているとともに磁性体にて構成されている。７は内部にレーザー光を放射するレーザー光照射装置８が組み込まれている揺動体であり、該揺動体７内に組み込まれているレーザー光照射装置８から照射されるレーザー光が筐体１の壁面に形成されている透孔を通して外部に投射され、墨出し器として動作するように構成されている。９は前記揺動体７の上面７Ａに形成されている半球状の凹部７Ｂに接着剤等によって接着固定されている揺動体用支持体であり、表面が球面状にされているとともに磁性体にて構成されている。
【００１０】
１０は前記揺動体７が図示した吊り下げ位置にあるとき、上端面が前記基台用支持体６に吸着されるとともに下端面が前記揺動体用支持体９に吸着される磁石であり、円柱状にされている。１１は前記揺動体７の上面７Ａに固定されている円筒状の離脱防止部材であり、前記揺動体７が吊り下げ位置から離脱したとき前記磁石１０が落下することを防止するように構成されている。
【００１１】
１２は前記筐体１の下方に設けられている基台５に螺合されている調整螺子であり、指先にて操作される摘み部１３が設けられている。１４は前記調整螺子１２によって上下方向に変位されるべく設けられている支持部材であり、前記揺動体７が衝撃等によって落下したとき該揺動体７の下部を支持するように構成されている。前記支持部材１４には図示したように凹所１４Ａが設けられているとともに前記揺動体７を支持する面１４Ｂには衝撃を吸収するクッション等の弾性部材１５が設けられている。また、支持部材１４の凹所１４Ａを構成する側壁１４Ｃは、前記揺動体７が回転したとき該揺動体７と接触し、該揺動体７の水平方向への回転可能範囲を規制するように構成されている。そして、前記支持部材１４は図示しない回転規制部材によって前記調整螺子１２が回転しても回動変位しないように設けられている。
【００１２】
以上に説明したように本発明に係る墨出し器は構成されているが、次に動作について説明する。墨出し器として動作する状態にあるときには、図示したように支持部材１４は揺動体７の下面より離間した状態にあり、該揺動体７は基台用支持体６と磁石１０の吸着動作及び該磁石１０と揺動体用支持体９との吸着動作によって吊り下げられた状態、即ち吊り下げ位置にある。
【００１３】
斯かる状態にあるとき、前記揺動体７は、基台２に対して吊り下げられた状態にあるため揺動可能に支持されているだけでなく水平方向への回転動作が可能に支持された状態にある。それ故、前記揺動体７に組み込まれているレーザー光照射装置８から照射されるレーザー光を筐体１の外部に、且つ水平方向に正確に投射することが出来、墨出し器として使用することが出来る。
【００１４】
前述した状態にあるときに筐体１に対して衝撃が加わると、基台用支持体６と磁石１０との吸着状態が解除され、揺動体７は落下するが下方に設けられている支持部材１４によって支持されることになる。前記揺動体７が落下するとその下面が前記支持部材１４の凹所１４Ａ内の面１４Ｂに設けられている弾性部材１５に衝突するが、該弾性部材１５の弾力によって衝撃が吸収されるので破損等の問題が発生することはない。磁石１０による基台用支持体６及び揺動体用支持体９への吸着力を同一にすると、磁石１０と基台用支持体６との吸着力の負荷として加わる力に対して磁石１０と揺動体用支持体９との吸着力の負荷として加わる力の方が小さくなるので、衝撃を受けた場合には、磁石１０と基台用支持体６との間で吸着保持関係が断たれることになる。
【００１５】
前述したように衝撃を受けると、揺動体７及び磁石１０が落下し、該揺動体７は前記支持部材１４の凹所１４Ａ内の面１４Ｂによって支持された状態になり、前記磁石１０は前記揺動体７に取り付けられている離脱防止部材１１によって吸着可能位置、即ち揺動体７が上方へ復帰変位せしめられたとき基台用支持体６に吸着することが出来る位置に維持された状態になる。
【００１６】
斯かる状態において、調整螺子１２に設けられている摘み部１３を操作することによって該調整螺子１２を基台５に対して捩じ込むと支持部材１４が上方へ移動変位せしめられるため、前記揺動体７を図示した吊り下げ位置まで上昇させることが出来る。前記揺動体７を図示した吊り下げ位置まで上昇させると、離脱防止部材１１によって吸着可能位置に保持されている磁石１０が基台用支持体６に吸着する。斯かる動作を行った後に調整螺子１２に設けられている摘み部１３を操作することによって該調整螺子１２を基台５に対して逆方向に捩じると、支持部材１４が下方へ移動変位せしめられるので図示した状態に復帰せしめられる。従って、墨出し器として動作させることが出来ることになる。
【００１７】
以上に説明したように墨出し器としての動作を行うことが出来るが、調整螺子１２に設けられている摘み部１３を操作することによって該調整螺子１２を基台５に対して捩じ込むと支持部材１４が上方へ移動変位することになるので、前記支持部材１４を基台用支持体６と磁石１０及び揺動体用支持体９と磁石１０が吸着状態になる位置に変位せしめれば前記揺動体７をロック保持することが出来る。従って、斯かる状態では前記揺動体７がロック保持された状態になるので、このままで墨出し器を持ち運ぶことが出来る。
【００１８】
尚、本実施例では、磁石１０の離脱を防止する離脱防止部材１１を揺動体７側に設けたが、基台２側に設けることも出来る。
【００１９】
【発明の効果】
本発明は、基台に吊り下げられた揺動体に組み込まれたレーザー光照射装置より放射されるレーザー光を筐体の外部に投射するように構成されたレーザー墨出し器において、前記基台の下面に固定されているとともに表面が球面状にされ、且つ磁性体よりなる基台用支持体と、前記揺動体の上面に固定されているとともに表面が球面状にされ、且つ磁性体よりなる揺動体用支持体と、前記基台用支持体と揺動体用支持体との間に設けられているとともに前記揺動体が吊り下げ位置にあるとき前記両支持体に吸着した状態にある磁石とを設け、前記基台用支持体と磁石との吸着及び前記揺動体用支持体と磁石との吸着により前記揺動体を前記基台に吊り下げるようにしたので、構成が簡単になるだけでなくレーザー光照射装置より放射されるレーザー光の方向性を正確に保持することが出来る。
【００２０】
また、本発明は、揺動体の下方に該揺動体が基台から離脱した状態にあるとき、該揺動体の下部を支持する支持部材を設けたので、衝撃を受けることによって揺動体が落下しても何等問題が発生することはない。
【００２１】
そして、本発明は、支持部材を上下動可能に設け、該支持部材の上方への変位により揺動体を吊り下げ位置に移動させるようにしたので、操作性に優れたものである。
【００２２】
また、本発明は、支持部材の揺動体を支持する面に衝撃を吸収する弾性部材を設けたので、揺動体内に組み込まれているレーザー光照射装置等が損傷することを防止することが出来る。
【００２３】
そして、本発明は、支持部材にて揺動体の水平方向への回転可能範囲を規制するようにしたので、レーザー光照射装置より筐体の外部に投射されるレーザー光の範囲を墨出し器として所望の範囲に規制することが出来る。
【図面の簡単な説明】
【図１】本発明のレーザー墨出し器の一実施例を示す一部断面図である。
【符号の説明】
１        筐体
２        基台
６        基台用支持体
７        揺動体
８        レーザー光照射装置
９        揺動体用支持体
１０        磁石
１１        離脱防止部材
１２        調整螺子
１４        支持部材
１５        弾性部材
【図１】
2004156952.tif 000003